(57)【要約】【課題】低音域及び高音域を補強することができる多面体形状のスピーカシステム及びそれに用いられるエンクロージャーを提供すること。【解決手段】本発明は、多面体上の各面が対向面を持つ６、８、１０、又は１２面体のエンクロージャーを基本構造とするスピーカシステムである。たとえば、１２面体のエンクロージャーを基本構造とするスピーカシステム１は、多面体上で対向する面同士にそれぞれ配置された中低音用又は低音用の偶数個の第１のスピーカユニット５ｘ，５ｙと、多面体上の一面に配置された中高音用又は高音用の第２のスピーカユニット６と、第２のスピーカユニット６に対向する面に配置されたポート部８とを備える。【選択図】図１
2011018998.tif 000002
【特許請求の範囲】
【請求項１】
多面体上の各面が対向面を持つ６、８、１０、又は１２面体のエンクロージャーを基本構造とするスピーカシステムであって、
多面体上で対向する面同士にそれぞれ配置された中低音用又は低音用の偶数個の第１のスピーカユニットと、
多面体上の一面に配置された中高音用又は高音用の第２のスピーカユニットと、
前記第２のスピーカユニットに対向する面に配置されたポート部とを備える、スピーカシステム。
【請求項２】
前記第２のスピーカユニットが聴取者側を向くように、上方から吊り下げられるための吊し部材をさらに備えることを特徴とする、請求項１に記載のスピーカシステム。
【請求項３】
前記エンクロージャーは、前記吊し部材による支持部分から前記支持部分に点対称に対向する箇所まで、支柱部材を内部に含むことを特徴とする、請求項２に記載のスピーカシステム。
【請求項４】
前記支柱部材は、天然無垢材、又は前記天然無垢材の集成材から形成されることを特徴とする、請求項３に記載のスピーカシステム。
【請求項５】
前記支柱部材は、円柱状であることを特徴とする、請求項３又は４に記載のスピーカシステム。
【請求項６】
前記ポート部は、前記支柱部材を挟むように平行に配置された２本のバスレフポートであることを特徴とする、請求項３〜５のいずれかに記載のスピーカシステム。
【請求項７】
前記吊し部材は、
前記スピーカシステムを床又は机上に設置する場合、前記支柱部材の一端側に取り付けられ、
前記スピーカシステムを天井から吊り下げて設置する場合、前記支柱部材の他端側から取り付けられることを特徴とする、請求項３〜６のいずれかに記載のスピーカシステム。
【請求項８】
前記複数個の第１のスピーカユニットにおいて、対向面に配置された二つの前記第１のスピーカユニット同士は、同相であることを特徴とする、請求項１〜７のいずれかに記載のスピーカシステム。
【請求項９】
対向面に配置された二つの前記第１のスピーカユニットまでのアンプからの配線の長さは、略同一であることを特徴とする請求項８に記載のスピーカシステム。
【請求項１０】
スピーカシステムに用いられる多面体を基本構造とする６、８、１０、又は１２面体のエンクロージャーであって、
多面体上の各面は、対向面を持ち、
多面体上の偶数個の面は、中低音用又は低音用スピーカユニットを偶数個配置するための面であり、
多面体上の一面は、中高音用又は高音用スピーカユニットを配置するための面であり、
中高音用又は高音用スピーカユニットを配置するための面に対向する面には、ポート部が配置されていることを特徴とする、エンクロージャー。
【請求項１１】
多面体のエンクロージャーを基本構造とするスピーカシステムであって、
前記エンクロージャーの少なくとも一つの頂点に、前記エンクロージャーを上方から吊り下げるための吊し部材と、
前記吊し部材による支持部分から前記支持部分に点対称に対向する箇所まで、前記エンクロージャー内部に設けられた支柱部材とを備える、スピーカシステム。
【請求項１２】
スピーカシステムに用いられる多面体を基本構造とするエンクロージャーであって、
前記エンクロージャーの少なくとも一つの頂点に、前記エンクロージャーを上方から吊り下げるための吊し部材と、
前記吊し部材による支持部分から前記支持部分に点対称に対向する箇所まで、前記エンクロージャー内部に設けられた支柱部材とを備える、エンクロージャー。
【発明の詳細な説明】
【技術分野】
【０００１】
本発明は、スピーカシステム及びそれに用いられるエンクロージャーに関し、より特定的には、多面体形状のスピーカシステム及びそれに用いられるエンクロージャーに関する。
【背景技術】
【０００２】
従来の多面体形状のスピーカシステムは、基本的には、無指向性を実現するために、用いられることがほとんどであった。そのため、低音再生や高音再生の補強を考慮することなく、多面体形状のスピーカシステムを設計するのが一般的であった。しかし、多面体形状のスピーカシステムにおいても、低音再生や高音再生を補強したいというニーズが存在する。このニーズに関連して、従来、特許文献１及び特許文献２に記載のスピーカシステムが提案されている。
【０００３】
特許文献１では、略球形のエンクロージャーにスピーカユニットを配置すると共に、当該エンクロージャーにバスレフダクトを設けて、低音域を補強するスピーカシステムが開示されている。
【０００４】
特許文献２では、３２面体のエンクロージャーにおいて、５角形で構成される面に低音域用又は中低音域用のスピーカユニットを配置して、６角形で構成される面に中高音域用又は高音域用のスピーカユニットを配置しているスピーカシステムが開示されている。特許文献２に記載のスピーカシステムは、音の再生帯域幅をスピーカ体の全周囲に広げることができる。
【０００５】
特許文献３に記載のスピーカシステムは、互いに傾斜した二つの中低音用スピーカユニットと、当該二つの中低音用スピーカユニットの間に配置された中高音用スピーカユニットと、当該中高音用スピーカユニットの背面側に配置されたダクトとを備える。なお、特許文献３に記載のスピーカシステムは、エンクロージャーの前面方向の指向性を有し、無指向性のスピーカシステムではない。
【先行技術文献】
【特許文献】
【０００６】
【特許文献１】特許第４１５７１５３号公報
【特許文献２】特開平９−７００９２号公報
【特許文献３】特開平１１−９８５８８号公報
【発明の概要】
【発明が解決しようとする課題】
【０００７】
特許文献１に記載のスピーカシステムでは、エンクロージャーにバスレフダクトを設けているので低音域は補強される。しかし、特許文献１に記載のスピーカシステムでは、高音域は補強されない。
【０００８】
特許文献２に記載のスピーカシステムでは、低音域用のスピーカユニット及び高音域用のスピーカユニットが配置されるため、低音域及び高音域が補強される。しかし、特許文献２に記載のスピーカシステムでは、複数の低音域用のスピーカユニット及び高音域用のスピーカユニットが配置されており、製造コストが高くなる。
【０００９】
特許文献３に記載のスピーカシステムは、エンクロージャーの前面方向の指向性を有し、無指向性のスピーカシステムではないため、特許文献３に開示されている構造を無指向性のスピーカシステムにそのまま適用することはできない。
【００１０】
それゆえ、本発明の目的は、低音域及び高音域を補強することができる多面体形状のスピーカシステム及びそれに用いられるエンクロージャーを提供することである。
【課題を解決するための手段】
【００１１】
上記課題を解決するために、本発明は、以下のような特徴を有する。本発明は、多面体上の各面が対向面を持つ６、８、１０、又は１２面体のエンクロージャーを基本構造とするスピーカシステムであって、多面体上で対向する面同士にそれぞれ配置された中低音用又は低音用の偶数個の第１のスピーカユニットと、多面体上の一面に配置された中高音用又は高音用の第２のスピーカユニットと、第２のスピーカユニットに対向する面に配置されたポート部とを備える。
【００１２】
好ましくは、第２のスピーカユニットが聴取者側を向くように、上方から吊り下げられるための吊し部材をさらに備えると良い。
【００１３】
好ましくは、エンクロージャーは、吊し部材による支持部分から支持部分に点対称に対向する箇所まで、支柱部材を内部に含むと良い。
【００１４】
好ましくは、支柱部材は、天然無垢材、又は天然無垢材の集成材から形成されると良い。
【００１５】
好ましくは、支柱部材は、円柱状であると良い。
【００１６】
好ましくは、ポート部は、支柱部材を挟むように平行に配置された２本のバスレフポートであると良い。
【００１７】
好ましくは、吊し部材は、スピーカシステムを床又は机上に設置する場合、支柱部材の一端側に取り付けられ、スピーカシステムを天井から吊り下げて設置する場合、支柱部材の他端側から取り付けられると良い。
【００１８】
好ましくは、複数個の第１のスピーカユニットにおいて、対向面に配置された二つの第１のスピーカユニット同士は、同相であると良い。
【００１９】
好ましくは、対向面に配置された二つの第１のスピーカユニットまでのアンプからの配線の長さは、略同一であると良い。
【００２０】
また、本発明は、スピーカシステムに用いられる多面体を基本構造とする６、８、１０、又は１２面体のエンクロージャーであって、多面体上の各面は、対向面を持ち、多面体上の偶数個の面は、中低音用又は低音用スピーカユニットを偶数個配置するための面であり、多面体上の一面は、中高音用又は高音用スピーカユニットを配置するための面であり、中高音用又は高音用スピーカユニットを配置するための面に対向する面には、ポート部が配置されていることを特徴とする。
【００２１】
また、本発明は、多面体のエンクロージャーを基本構造とするスピーカシステムであって、エンクロージャーの少なくとも一つの頂点に、エンクロージャーを上方から吊り下げるための吊し部材と、吊し部材による支持部分から支持部分に点対称に対向する箇所まで、エンクロージャー内部に設けられた支柱部材とを備える。
【００２２】
また、本発明は、スピーカシステムに用いられる多面体を基本構造とするエンクロージャーであって、エンクロージャーの少なくとも一つの頂点に、エンクロージャーを上方から吊り下げるための吊し部材と、吊し部材による支持部分から支持部分に点対称に対向する箇所まで、エンクロージャー内部に設けられた支柱部材とを備える。
【発明の効果】
【００２３】
本発明によれば、多面体上で対向する面同士に、偶数個の第１のスピーカユニットがそれぞれ配置されている。そのため、対向する第１のスピーカユニット同士の反作用力が打ち消し合い、エンクロージャー全体の振動を抑えつつ、少なくとも水平面方向に無指向性を有することとなる。加えて、第２のスピーカユニットとポート部とが対向するように配置されているので、同軸方向に高音及び低音が補強されることとなる。よって、低音域及び高音域を補強することができる多面体形状のスピーカシステム及びそれに用いられるエンクロージャーが提供されることとなる。いわば、無指向性でありながら、同軸スピーカシステムの特徴を備えるスピーカシステムが提供されることとなる。
【００２４】
第２のスピーカユニットを聴取者側に向くように吊り下げることによって、聴取者には低音から高音までが聴取され、かつ、空間全体には無指向性に音が広がるスピーカシステムが提供されることとなる。
【００２５】
支柱部材がエンクロージャーの内部に含まれることによって、エンクロージャー全体の振動を更に抑えることができ、音質が向上する。
【００２６】
支柱部材の素材を天然無垢材、又は天然無垢材の集成材とすることによって、音質がさらに向上する。
【００２７】
支柱部材を円柱状にすることによって、内部定在波の発生を抑えることが可能となる。
【００２８】
ポート部を支柱部材を挟むように平行に配置された２本のバスレフポートとすることによって、支柱部材に邪魔されることなく、低音補強を実現することが可能となる。
【００２９】
対向面に配置された二つの第１のスピーカユニット同士を同相とすることによって、反作用力の打ち消し合いを確実なものとすることができる。
【００３０】
対向面に配置された二つの第１のスピーカユニットまでのアンプからの配線の長さを略同一とすることによって、反作用力の打ち消し合いをさらに確実なものとすることができる。
【００３１】
エンクロージャーの上方から吊り下げる吊し部材を設けて、当該吊し部材による支持部分から点対称に対向する箇所まで支柱部材を設けることによって、吊り下げて多面体のスピーカシステムを設置する場合、エンクロージャー全体の振動を抑えることができる。
【００３２】
本発明のこれらおよび他の目的、特徴、局面、効果は、添付図面と照合して、以下の詳細な説明から一層明らかになるであろう。
【図面の簡単な説明】
【００３３】
【図１】図１は、本発明の第１の実施形態に係るスピーカシステム１の斜視図である。
【図２】図２は、本発明の第１の実施形態に係るスピーカシステム１の斜視図である。
【図３】図３は、図１におけるＡ−Ａ線で切断したときのエンクロージャー４の内部構造を示す一片側斜視図である。
【図４】図４は、図１におけるＡ−Ａ線で切断したときのエンクロージャー４の内部構造を示す他片側斜視図である。
【図５】図５は、第１のスピーカユニット５ｘ，５ｙ及び第２のスピーカユニット６の配線を示す回路図である。
【図６】図６は、スピーカシステム１を天井に設置する場合の様子を示す斜視図である。
【図７】図７は、本発明の第２の実施形態に係るスピーカシステムで用いられるエンクロージャー４ａの斜視図である。
【図８】図８は、本発明の第２の実施形態に係るスピーカシステムで用いられるエンクロージャー４ａの斜視図である。
【図９】図９は、本発明の第３の実施形態に係るスピーカシステムで用いられるエンクロージャー４ｂの斜視図である。
【図１０】図１０は、本発明の第３の実施形態に係るスピーカシステムで用いられるエンクロージャー４ｂの斜視図である。
【図１１】図１１は、本発明の第４の実施形態に係るスピーカシステムで用いられるエンクロージャー４ｃの斜視図である。
【図１２】図１２は、本発明の第４の実施形態に係るスピーカシステムで用いられるエンクロージャー４ｃの斜視図である。
【発明を実施するための形態】
【００３４】
（第１の実施形態）
図１及び図２は、本発明の第１の実施形態に係るスピーカシステム１の斜視図である。スピーカシステム１は、Ｔ字状の吊し部材３によって、スタンド２に吊り下げられている。スピーカシステム１は、エンクロージャー４と、５個の第１のスピーカユニット５ｘと、５個の第１のスピーカユニット５ｙと、１個の第２のスピーカユニット６と、２本のバスレフポート７，７からなるポート部８とを備える。第１のスピーカユニット５ｘ，５ｙは、中低音用又は低音用のスピーカユニットである。第２のスピーカユニットユニット６は、中高音用又は高音用のスピーカユニットユニットである。中低音用スピーカユニットとしては、フルレンジのスピーカユニットを用いると良い。低音用のスピーカユニットとしては、ウーハーを用いると良い。中高音用又は高音用スピーカユニットとしては、たとえば、ドーム型ツィーターを用いると良い。エンクロージャー４の材質としては、周知のエンクロージャーに用いられるあらゆる素材が利用可能である。
【００３５】
図３は、図１におけるＡ−Ａ線で切断したときのエンクロージャー４の内部構造を示す一片側斜視図である。図４は、図１におけるＡ−Ａ線で切断したときのエンクロージャー４の内部構造を示す他片側斜視図である。図３及び図４において、第１のスピーカユニット５ｘが配置される穴を５ａで示し、第１のスピーカユニット５ｙが配置される穴を５ｂで示し、第２のスピーカユニット６が配置される穴を６ａで示す。
【００３６】
エンクロージャー４は、略正１２面体である。したがって、エンクロージャー４上の各面は、必ず対向面を持つ。ここで対向面とは、ある面に対して、平行に存在する面のことをいう。第２のスピーカユニットユニット６とポート部８とは、エンクロージャー４上で対向する面同士に配置されている。すなわち、第２のスピーカユニットユニット６とポート部８とは、同軸上に配置されている。
【００３７】
第２のスピーカユニット６が配置されている５角形の面の回りに、５個の第１のスピーカユニット５ｘが配置されている。ポート部８が配置されている５角形の面の回りに、５個の第１のスピーカユニット５ｙが配置されている。したがって、エンクロージャー４上において、ある一つの第１のスピーカユニット５ｘに対して、必ず、対向面に配置された別の第１のスピーカユニット５ｙが存在することとなる。
【００３８】
図５は、第１のスピーカユニット５ｘ，５ｙ及び第２のスピーカユニット６の配線を示す回路図である。第２のスピーカユニット６の周りに存在する５個の第１のスピーカユニット５ｘ同士は、直列に接続されている。ポート部８の周りに存在する５個の第１のスピーカユニット５ｙ同士は、直列に接続されている。５個の第１のスピーカユニット５ｘと５個の第１のスピーカユニット５ｙとは、同相でかつ並列に接続されている。さらに、好ましくは、対向面同士に配置された第１のスピーカユニット５ｘと５ｙとは、アンプからの配線の長さが略同一になるように、接続されている。したがって、第１のスピーカユニット５ｘの裏面から生じる反作用力は、対向する面に配置された別の第１のスピーカユニット５ｙの裏面から生じる反作用力と、同時期にかつ同程度の力で生じることとなる。よって、第１のスピーカユニット５ｘの裏面から生じる反作用力は、対向する面に配置された別の第１のスピーカユニット５ｙの裏面から生じる反作用力と打ち消し合うこととなる。そのため、エンクロージャー４の振動は、最小限に抑えられる。
【００３９】
エンクロージャー４は、第２のスピーカユニット６が配置されている面にある角部１０から、当該角部１０に対して点対称に存在する（ポート部が配置されている面にある）角部１１にまで連接される支柱部材９を内部に含む。２本の平行するバスレフポート７，７は、支柱部材９を挟むように、配置されている。バスレフポート７，７のサイズ（長さや太さ）は、ヘルムホルツの共鳴に基づく反共振周波数を求める計算式によって、適宜、計算される。第２のスピーカユニット６及び第１のスピーカユニット５ｘ，５ｙから生じる低音は、バスレフポート７，７によって補強され、ポート部８から出力される。
【００４０】
図１に示すように、スピーカシステム１を床や机上に設置する場合、角部１０に設けられたねじ穴にＴ字状の吊し部材３を取り付けて、スタンド２に吊し部材３を引っ掛ける。このとき、第２のスピーカユニット６は、聴取者の方向を向くように、斜め上方を向く。
【００４１】
図６は、スピーカシステム１を天井に設置する場合の様子を示す斜視図である。スピーカシステムを天井に設置する場合、角部１１に設けられたねじ穴にフック状の吊し部材３ａを取り付けて、天井から吊り下げられた鎖などの部材に、吊し部材３ａを引っ掛ける。このとき、第２のスピーカユニット６は、聴取者の方向を向くように、斜め下方を向く。
【００４２】
図１及び図６に示すように、スピーカシステム１が吊り下げられて設置される場合、支柱部材９は、吊し部材３又は３ａから、鉛直上下方向に位置することとなる。支柱部材９は、エンクロージャー４を強固にする。そのため、対向する第１のスピーカユニット５ｘ，５ｙ同士による反作用力の消滅だけでなく、支柱部材９によって、エンクロージャー４全体の振動を抑えることが可能となる。ただし、支柱部材９によって、音波による振動がポート部８に伝わることが妨げられる可能性があるので、好ましくは、バスレフポート７，７は、支柱部材９を避けて、支柱部材９を挟むように配置されるのが良い。支柱部材９は、好ましくは、ウォールナット、メープル、マホガニー、ラバーウッド、スプールス、黒檀、松材等の楽器にも使用される良質な響きを発生し得る天然無垢材、あるいはそれらの集成材から形成すると良く、これにより、より音質が向上する。また、支柱部材９は、内部定在波による悪影響をできるだけ回避するために、円柱状であると良い。また、支柱部材９に吸音材を巻き付けることによって、効果的に内部定在波を防ぐことができる。
【００４３】
このように、第１の実施形態においては、第１のスピーカユニット５ｘ，５ｙが配置されている水平面においては、無指向性が実現される。加えて、第２のスピーカユニット６及びポート部８が配置されている同軸方向においては、高音及び低音が補強されることとなる。吊し部材３，３ａを適切な位置に配置することによって、スピーカユニットシステム１を床や机上に設置した場合、聴取者側に第２のスピーカユニット６を向けることができ、かつ、スピーカシステム１を天井に設置した場合、聴取者側に第２のスピーカユニット６を向けることができる。よって、聴取者は、高音から低音までの音を視聴することができる。そのため、第１の実施形態によって、空間全体に対して音が無指向性に広がると同時に、聴取者に向かっては同軸スピーカシステムのように、低音から高音までの音が発せられるスピーカシステム１が提供されることとなる。よって、本発明の目的である、低音域及び高音域を補強することができる多面体形状のスピーカシステム１及びそれに用いられるエンクロージャー４が提供されたことになる。
【００４４】
支柱部材９によって、エンクロージャー４がより強固なものとなる。従来の多面体スピーカシステムの場合、下から支えるスタンドが一般的であった。しかし、従来のスタンドは、振動時にバランスが崩れるのを防止するために、スピーカシステムよりも重くなければならなかった。したがって、従来のスタンドは、取り扱い難く不便であった。第１の実施形態によれば、スピーカシステム１をスタンド２又は天井から吊し部材３，３ａによって吊り下げるだけで良い。したがって、スピーカシステム１は、従来のスピーカシステムに比べて、非常に取り扱い易いと言える。特に、支柱部材９を設けることによって、吊り下げて音を発する際に生じる振動が防止され、音質をさらに向上させることが可能となる。なお、支柱部材９は、本発明における必須の構成要素ではない。支柱部材９を設けなくても、低音から高音までの音の再生は可能である。
【００４５】
（第２の実施形態）
図７及び図８は、本発明の第２の実施形態に係るスピーカシステムで用いられるエンクロージャー４ａの斜視図である。図７及び図８において、第１の実施形態と同様の機能を有する部分については、同一の参照符号を付し、説明を省略する。第２の実施形態において、エンクロージャー４ａは、略正６面体である。このように、略正６面体のエンクロージャー４ａを用いたとしても、第１のスピーカユニットが配置されている水平面で無指向性を実現することができ、かつ、第２のスピーカユニット及びポート部８が配置されている同軸方向において、低音から高音までの音を再生することができる。なお、第２の実施形態においても、床や机上に設置する場合は角部１０に吊し部材３が取り付けられ、天井に設置する場合は角部１１に吊し部材３ａが取り付けられると、聴取者側に第２のスピーカユニット６が向くこととなる。
【００４６】
（第３の実施形態）
図９及び図１０は、本発明の第３の実施形態に係るスピーカシステムで用いられるエンクロージャー４ｂの斜視図である。図９及び図１０において、第１の実施形態と同様の機能を有する部分については、同一の参照符号を付し、説明を省略する。第３の実施形態において、エンクロージャー４ｂは、略正６面体の対向する二つの角を三角形状に切り落とした８面体である。このように、８面体のエンクロージャー４ｂを用いたとしても、第１のスピーカユニットが配置されている水平面で無指向性を実現することができ、かつ、第２のスピーカユニット及びポート部８が配置されている同軸方向において、低音から高音までの音を再生することができる。なお、第３の実施形態では、第２のスピーカユニットの上下向きはないので、床や机上及び天井に設置する場合、角部１０に吊し部材３が取り付けられれば良い。
【００４７】
なお、第３の実施形態において、角部１３から角部１４にかけて支柱部材が設けられていても良い。この場合は、第２のスピーカユニットの上下向きがあるので、聴取者に第２のスピーカユニットが向くように、床や机上に設置する場合は角部１３に吊し部材を取り付け、天井に設置する場合は角部１４に吊し部材が取り付けられると良い。この場合も、２本のバスレフポートは、支柱部材を避けるように平行に配置されるのが好ましい。
【００４８】
（第４の実施形態）
図１１及び図１２は、本発明の第４の実施形態に係るスピーカシステムで用いられるエンクロージャー４ｃの斜視図である。図１１及び図１２において、第１の実施形態と同様の機能を有する部分については、同一の参照符号を付し、説明を省略する。第４の実施形態において、エンクロージャー４ｃは、略正８面体の対向する二つの角を四角形に切り落とした１０面体である。このように、１０面体のエンクロージャー４ｃを用いたとしても、第１のスピーカユニットが配置されている水平面で無指向性を実現することができ、かつ、第２のスピーカユニット及びポート部８が配置されている同軸方向において、低音から高音までの音を再生することができる。なお、第４の実施形態では、第２のスピーカユニットの上下向きはないので、床や机上及び天井に設置する場合、角部１０に吊し部材３が取り付けられれば良い。
【００４９】
なお、第４の実施形態において、角部１５から角部１６にかけて支柱部材が設けられていても良い。この場合は、第２のスピーカユニットの上下向きがあるので、聴取者に第２のスピーカユニットが向くように、床や机上に設置する場合は角部１５に吊し部材を取り付け、天井に設置する場合は角部１６に吊し部材が取り付けられると良い。この場合も、２本のバスレフポートは、支柱部材を避けるように平行に配置されるのが好ましい。
【００５０】
第１〜第４の実施形態に示したように、本発明に係るスピーカシステムは、多面体上の各面が対向面を持つ６、８、１０、又は１２面体のエンクロージャーを基本構造とする。ただし、多面体の角部分を面取りしたり、他の多面体状、球体状又は略球体状の枠体にエンクロージャーを入れるなどしてスピーカシステムを構成することができる。したがって、エンクロージャーの外形に拘泥されることなく、複数のスピーカユニットが配置されている形状が本質的に何面体であるかという点に着目して、エンクロージャーの基本構造を考慮しなければならない。
【００５１】
たとえば、エンクロージャーの外形が球体であったとしても、第２のスピーカユニット６とポート部８とが同軸状に配置され、かつ、当該同軸の周りに第１のスピーカユニット５ｘとそれに点対称に対向するように配置された第１のスピーカユニット５ｙとが５個ずつ設けられていれば、基本構造が１２面体のエンクロージャーを用いたスピーカシステム１であると言える。また、仮に、第１のスピーカユニット５ｘとそれに点対称に対向するように配置された第１のスピーカユニット５ｙとが４個ずつであったとしても、５個ずつ配置した場合の基本構造が１２面体のエンクロージャーであれば、第１の実施形態に係る発明の範囲に属することとなる。したがって、本発明には、少なくとも下記のようなパターンのスピーカシステムが含まれることとなる。当然、下記はあくまでも例示であって、本発明を限定するものではない。
【００５２】
（第１の実施形態に係る発明に少なくとも含まれるスピーカシステムの例）
第２のスピーカユニット６とポート部８とが同軸上にあり、かつ当該同軸上に点対称に対応するように配置された第１のスピーカユニット５ｘと第１のスピーカユニット５ｙとが１個ずつある場合。
第２のスピーカユニット６とポート部８とが同軸上にあり、かつ当該同軸上に点対称に対応するように配置された第１のスピーカユニット５ｘと第１のスピーカユニット５ｙとが２個ずつある場合。
第２のスピーカユニット６とポート部８とが同軸上にあり、かつ当該同軸上に点対称に対応するように配置された第１のスピーカユニット５ｘと第１のスピーカユニット５ｙとが３個ずつある場合。
第２のスピーカユニット６とポート部８とが同軸上にあり、かつ当該同軸上に点対称に対応するように配置された第１のスピーカユニット５ｘと第１のスピーカユニット５ｙとが４個ずつある場合。
第２のスピーカユニット６とポート部８とが同軸上にあり、かつ当該同軸上に点対称に対応するように配置された第１のスピーカユニット５ｘと第１のスピーカユニット５ｙとが５個ずつある場合。
【００５３】
（第２の実施形態に係る発明に少なくとも含まれるスピーカシステムの例）
第２のスピーカユニット６とポート部８とが同軸上にあり、かつ当該同軸上に点対称に対応するように配置された第１のスピーカユニット５ｘと第１のスピーカユニット５ｙとが１個ずつある場合。
第２のスピーカユニット６とポート部８とが同軸上にあり、かつ当該同軸上に点対称に対応するように配置された第１のスピーカユニット５ｘと第１のスピーカユニット５ｙとが２個ずつある場合。
【００５４】
（第３の実施形態に係る発明に少なくとも含まれるスピーカシステムの例）
第２のスピーカユニット６とポート部８とが同軸上にあり、かつ当該同軸上に点対称に対応するように配置された第１のスピーカユニット５ｘと第１のスピーカユニット５ｙとが１個ずつある場合。
第２のスピーカユニット６とポート部８とが同軸上にあり、かつ当該同軸上に点対称に対応するように配置された第１のスピーカユニット５ｘと第１のスピーカユニット５ｙとが２個ずつある場合。
第２のスピーカユニット６とポート部８とが同軸上にあり、かつ当該同軸上に点対称に対応するように配置された第１のスピーカユニット５ｘと第１のスピーカユニット５ｙとが３個ずつある場合。
【００５５】
（第４の実施形態に係る発明に少なくとも含まれるスピーカシステムの例）
第２のスピーカユニット６とポート部８とが同軸上にあり、かつ当該同軸上に点対称に対応するように配置された第１のスピーカユニット５ｘと第１のスピーカユニット５ｙとが１個ずつある場合。
第２のスピーカユニット６とポート部８とが同軸上にあり、かつ当該同軸上に点対称に対応するように配置された第１のスピーカユニット５ｘと第１のスピーカユニット５ｙとが２個ずつある場合。
第２のスピーカユニット６とポート部８とが同軸上にあり、かつ当該同軸上に点対称に対応するように配置された第１のスピーカユニット５ｘと第１のスピーカユニット５ｙとが３個ずつある場合。
第２のスピーカユニット６とポート部８とが同軸上にあり、かつ当該同軸上に点対称に対応するように配置された第１のスピーカユニット５ｘと第１のスピーカユニット５ｙとが４個ずつある場合。
【００５６】
なお、本発明に用いられるエンクロージャーは、多面体上の各面が対向面を持つ６、８、１０、又は１２面体であれば良く、第１〜第４の実施形態で示したエンクロージャーに限定されるものではない。
【００５７】
なお、６、８、１０、又は１２面体に限定されることなく、多面体のエンクロージャーを基本構造とするスピーカシステムにおいて、エンクロージャーの少なくとも一つの頂点に、エンクロージャーを上方から吊り下げるための吊し部材と、吊し部材による支持部分から支持部分に点対称に対向する箇所まで、エンクロージャー内部に設けられた支柱部材とを設けることによって、吊り下げて多面体のスピーカシステムを設置する場合、エンクロージャー全体の振動を抑えることができる。
【００５８】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【００５９】
本発明は、スピーカシステム及びそれに用いられるエンクロージャーであり、産業上利用可能である。
【符号の説明】
【００６０】
１  スピーカシステム
２  スタンド
３  吊し部材
４，４ａ，４ｂ，４ｃ  エンクロージャー
５ｘ，５ｙ  第１のスピーカユニット
５ａ，５ｂ  穴
６  第２のスピーカユニット
６ａ  穴
７  バスレフポート
８  ポート部
９  支柱部材
１０，１１，１３，１４，１５，１６  角部
【図１】
2011018998.tif 000003
【図２】
2011018998.tif 000004
【図３】
2011018998.tif 000005
【図４】
2011018998.tif 000006
【図５】
2011018998.tif 000007
【図６】
2011018998.tif 000008
【図７】
2011018998.tif 000009
【図８】
2011018998.tif 000010
【図９】
2011018998.tif 000011
【図１０】
2011018998.tif 000012
【図１１】
2011018998.tif 000013
【図１２】
2011018998.tif 000014